(57)【要約】【課題】本発明は、アンテナ構造及びこのアンテナ構造を備える無線通信装置に関するものである。【解決手段】本発明のアンテナ構造は、電流信号を入力するのに用いられる入力部と、アンテナ構造が接地を提供するのに用いられ、且つ入力部と間隔をあけて設置されている第一接地部と、入力部に電気接続されている第一放射部と、第一放射部と間隔をあけて設置されており、並びに、第一接地部と電気接続されている第二放射部と、第二放射部と間隔をあけて設置されており、並びに、入力部及び第一放射部に電気接続されている第三放射部と、を含む。アンテナ構造の低周波数は７００−９６０ＭＨｚをカバーし、中周波数／高周波数は１７１０−２１７０ＭＨｚをカバーし、且つ設計上においてＣＡを支持している。また本発明はアンテナ構造を備えた無線通信装置も提供する。【選択図】図２
2018098759.tif 000002
【特許請求の範囲】
【請求項１】
電流信号を入力するのに用いられる入力部と、
アンテナ構造が接地を提供するのに用いられ、且つ前記入力部と間隔をあけて設置されている第一接地部と、
前記入力部に電気接続されている第一放射部と、
前記第一放射部と間隔をあけて設置されており、並びに、前記第一接地部と電気接続されている第二放射部と、
前記第二放射部と間隔をあけて設置されており、並びに、前記入力部及び前記第一放射部と電気接続されている第三放射部と、を含むことを特徴とするアンテナ構造。
【請求項２】
前記第一放射部は、第一放射帯体、第二放射帯体、第三放射帯体及び第四放射帯体を備え、前記第一放射帯体は前記入力部に垂直な平面内に設置されており、前記第一放射帯体の一端は前記入力部の一端に電気接続されており、前記第二放射帯体と前記第一放射帯体は同一面上に設置されており、前記第二放射帯体の一端は、前記第一放射帯体の前記入力部の一端に垂直に接続され、並びに前記放射部から離れる方向に延伸し、前記第三放射帯体の一端は、前記第二放射帯体の前記第一放射帯体から離れる一端に弧状を描くように接続されており、前記第三放射帯体のもう一端は、前記入力部に平行な方向に延伸した後直角に湾曲し、前記第二放射帯体に平行に且つ前記第一放射帯体及び前記第二放射部から離れる方向に延伸し、前記第四放射帯体は前記第二放射帯体が位置する平面に垂直な平面に設置され、前記第四放射帯体の一端は、前記第三放射帯体の前記第二放射帯体から離れる一端に弧状を描くように接続されており、前記第四放射帯体のもう一端は引き続き前記第二放射帯体から離れる方向に延伸していることを特徴とする請求項１に記載のアンテナ構造。
【請求項３】
前記第二放射部は、順に接続された第一カップリング部、第二カップリング部、第三カップリング部、第四カップリング部及び第五カップリング部を備え、前記第一カップリング部と第一放射帯体は同一面上に設置され、前記第一カップリング部の一端は前記第一接地部の一端に垂直に接続されており、並びに、前記第一放射帯体に平行な方向に延伸し、前記第二カップリング部の一端は、前記第一カップリング部の前記第一接地部から離れる一端に弧状を描くように接続されており、前記第二カップリング部のもう一端は、前記第三放射帯体に平行な方向に延伸し、前記第三カップリング部、前記第四カップリング部、前記第五カップリング部、前記第四放射帯体は同一面上に設置されて、前記第三カップリング部の一端は、第二カップリング部の前記第一カップリング部から離れる一端に弧状を描くように接続されており、並びに、前記第四放射帯体に平行な方向に延伸し、前記第四カップリング部の一端は、前記第三カップリング部の前記第二カップリング部から離れる一端に垂直に接続され、並びに、前記第四放射帯体に近づく方向に延伸し、前記第五カップリング部の一端は、前記第四カップリング部の前記第三カップリング部から離れる一端に垂直に接続されており、並びに、前記第三カップリング部に平行に且つ前記第二放射帯体に近づく方向に延伸していることを特徴とする請求項２に記載のアンテナ構造。
【請求項４】
前記第三放射部は、第一放射アーム及び第二放射アームを備え、前記第一放射アームと前記第二放射アームは同一面上に設置されており、前記第一放射アームの一端は、前記第一放射帯体と前記第二放射帯体が接続されている箇所に弧状を描くように接続されており、並びに、前記第二カップリング部に平行な方向に延伸し、前記第二放射アームは前記第二放射帯体に平行な平面内に設置されており、前記第二放射アームの一端は、前記第一放射アームの前記第一放射帯体から離れる一端に垂直に接続されており、並びに、前記第二放射帯体に平行に且つ前記第四放射帯体に近づく方向に延伸していることを特徴とする請求項３に記載のアンテナ構造。
【請求項５】
前記アンテナ構造は更に第四放射部を備え、前記第四放射部と前記第一放射帯体は同一面上に設置されており、前記第四放射部の一端は、前記第一放射帯体の前記第二放射帯体に近く且つ前記第一カップリング部から離れる一側に垂直に接続されており、並びに、前記第二放射帯体に平行に且つ前記第二放射部から離れる方向に延伸していることを特徴とする請求項３に記載のアンテナ構造。
【請求項６】
前記アンテナ構造は更に第二接地部及び延伸部を備え、前記第二接地部は前記入力部の前記第一接地部から離れる一側に設置されており、前記アンテナ構造が接地を提供するのに用いられ、前記延伸部は第一延伸帯体及び第二延伸帯体を備え、前記第一延伸帯体は第一放射帯体と同一面上に設置され、前記第一延伸帯体の一端は、前記第二放射帯体の一側の中央部に垂直に接続され、並びに、前記第一放射帯体に平行な方向に延伸し、前記第二延伸帯体の一端は、前記第一延伸帯体の前記第二放射帯体から離れる一端に垂直に接続されて、並びに、前記第二放射帯体に平行に且つ前記第一放射帯体に近づく方向に延伸し、前記第二接地部に垂直に接続されていることを特徴とする請求項５に記載のアンテナ構造。
【請求項７】
前記アンテナ構造は更にマッチング回路を備え、前記マッチング回路は第一マッチング素子及び第二マッチング素子を含み、前記第一マッチング素子の一端は入力源に電気接続され、前記第一マッチング素子のもう一端は、前記第二マッチング素子の一端及び前記入力部に電気接続され、前記第二マッチング素子のもう一端は接地されていることを特徴とする請求項２に記載のアンテナ構造。
【請求項８】
前記アンテナ構造は更に切換回路を備え、前記切換回路は切換ユニット及び少なくとも一つの第一切換素子を備え、前記切換ユニットは前記第二接地部に電気接続され、前記少なくとも一つの第一切換素子は互いに並列接続されており、前記少なくとも一つの第一切換素子の一端は前記切換ユニットに電気接続され、前記少なくとも一つの第一切換素子のもう一端は接地され、前記切換ユニットの切り換えを制御することにより、前記第二接地部を異なる前記第一切換素子に切り換わらせ、前記アンテナ構造の低周波周波数を調整することを特徴とする請求項６に記載のアンテナ構造。
【請求項９】
前記第一放射部は、第一放射帯体、第二放射帯体、第三放射帯体及び第四放射帯体を備え、前記第一放射帯体は前記入力部に垂直な平面内に設置されており、前記第一放射帯体の一端は前記入力部の一端に電気接続されており、前記第二放射帯体と前記第一放射帯体は同一面上に設置され、前記第二放射帯体の一端は、前記第一放射帯体の前記入力部から離れる一端に垂直に接続されており、並びに、前記第二放射部から離れる方向に延伸し、前記第三放射帯体と前記第一放射帯体は同一面上に設置され、前記第三放射帯体の一端は、前記第二放射帯体の前記第一放射帯体から離れる一端に垂直に接続されており、並びに、前記第一放射帯体に平行に且つ離れる方向に一定の距離延伸した後直角に湾曲し、前記第二放射帯体に平行に且つ前記第一放射帯体から離れる方向に延伸し、前記第四放射帯体は前記入力部に平行な平面内に設置され、前記第四放射帯体の一端は、前記第三放射帯体の前記第二放射帯体から離れる一端に垂直に接続されていることを特徴とする請求項１に記載のアンテナ構造。
【請求項１０】
前記第二放射部は順に接続されている第一カップリング部、第二カップリング部、第三カップリング部及び第四カップリング部を備え、前記第一カップリング部と前記第一放射帯体は同一面上に設置されており、前記第一カップリング部の一端は、前記第一接地部の一端に垂直に接続されており、並びに、前記第一放射帯体に平行な方向に延伸し、前記第二カップリング部、前記第三カップリング部、第四カップリング部、前記第四放射帯体は同一面上に設置されており、前記第二カップリング部の一端は、前記第一カップリング部の前記第一接地部から離れる一端に接続されており、前記第二カップリング部のもう一端は、前記第四放射帯体に平行な方向に延伸し、前記第三カップリング部の一端は、前記第二カップリング部の前記第一カップリング部から離れる一端に垂直に接続されており、並びに、前記第四放射帯体に近づく方向に延伸し、前記第四カップリング部の一端は、前記第三カップリング部の前記第二カップリング部から離れる一端に垂直に接続され、並びに、前記第二カップリング部に平行に、且つ前記第二放射帯体に近づく方向に延伸していることを特徴とする請求項９に記載のアンテナ構造。
【請求項１１】
前記第三放射部は、第一放射アーム及び第二放射アームを備え、前記第一放射アームと前記第一放射帯体は同一面上に設置されており、前記第一放射アームの一端は前記第一放射帯体と第二放射帯体が接続されている箇所に垂直に接続されており、並びに、前記第一カップリング部に平行に且つ前記第一放射帯体から離れる方向に延伸し、前記第二放射アームは、前記入力部に平行な平面内に設置されており、前記第二放射アームの一端は、前記第一放射アームの前記第一放射帯体から離れる一端に垂直に接続されており、並びに、前記第三カップリング部に平行に且つ前記第四放射帯体に近づく方向に延伸していることを特徴とする請求項１０に記載のアンテナ構造。
【請求項１２】
前記アンテナ構造はマッチング回路を備え、前記マッチング回路は、第一マッチング素子、切換スイッチ及び少なくとも一つの第二切換素子を含み、前記第一マッチング素子の一端は、入力源及び前記切換スイッチの一端に電気接続され、前記第一マッチング素子のもう一端は接地され、前記少なくとも一つの第二切換素子は互いに並列接続され、且つ前記少なくとも一つの第二切換素子の一端は前記切換スイッチのもう一端に電気接続され、前記少なくとも一つの第二切換素子のもう一端は、前記入力部に電気接続され、前記切換スイッチの切り換えを制御することにより、前記入力部を異なる第二切換素子に切り換わらせ、前記アンテナ構造の低周波周波数を調整することを特徴とする請求項９に記載のアンテナ構造。
【請求項１３】
前記アンテナ構造は更に基板を備え、前記基板は、第一表面、第二表面、第三表面、第四表面、第五表面及び第六表面を含み、前記第一表面と第二表面は対向し且つ互いに平行に設置されており、前記第三表面は前記第一表面の一側に弧状を描くように接続されており、前記第四表面の一端は前記第三表面に弧状を描くように接続されており、前記第四表面のもう一端は前記第二表面に垂直に接続されており、前記第五表面は前記第三表面に対向して設置され、且つ前記第一表面の前記第三表面に対向するもう一側に弧状を描くように接続されており、前記第六表面は、前記第一表面及び前記第二表面に対向し且つ互いに平行に設置され、且つ前記第一表面及び前記第二表面の間に位置し、前記第六表面は、前記第五表面の前記第一表面から離れる一側に弧状を描くように接続されており、前記第一放射部及び第二放射部は、第一表面、第三表面及び第四表面に設置され、前記第三放射部は、前記第一表面、前記第二表面、前記第三表面及び前記第四表面に設置されていることを特徴とする請求項１に記載のアンテナ構造。
【請求項１４】
前記第一放射部は、第一放射帯体、第二放射帯体、第三放射帯体、第四放射帯体、第五放射帯体、第六放射帯体及び第七放射帯体を備え、前記第一放射帯体は前記第一表面に設置され、前記第一放射帯体の一端は、前記入力部の前記第五表面に近い一端に電気接続されており、前記第一放射帯体のもう一端は、前記第三表面に近づく方向に延伸し、前記第二放射帯体と前記第一放射帯体は同一面上に設置されており、前記第二放射帯体の一端は、前記第一放射帯体の前記入力部から離れる一端に垂直に接続され、並びに、前記第一接地部から離れる方向に延伸し、前記第三放射帯体は前記第三表面に設置され、前記第三放射帯体の一端は、前記第二放射帯体の前記第一放射帯体から離れる一端に弧状を描くように接続されており、並びに、前記第四表面に近づく方向に延伸し、前記第四放射帯体は前記第四表面に設置され、前記第四放射帯体の一端は、前記第三放射帯体の前記第二放射帯体から離れる一端に弧状を描くように接続され、並びに、前記第二表面に近づく方向に延伸し、前記第五放射帯体は前記第三表面に設置され、前記第五放射帯体の一端は、前記第二放射帯体の前記第三放射帯体に近く且つ前記第一放射帯体に背向する一側に弧状を描くように接続されており、前記第五放射帯体のもう一端は前記第四表面に近づく方向に延伸し、前記第六放射帯体は前記第五放射帯体と同一面上に設置され、並びに、前記第六放射帯体は前記第五放射帯体とＬ字型の構造を形成し、前記第六放射帯体の一端は、前記第五放射帯体の前記第二放射帯体から離れる一側に垂直に接続され、前記第六放射帯体のもう一端は、前記第四表面に近づく方向に延伸し、前記第七放射帯体は前記第四表面に設置され、前記第七放射帯体の一端は、前記第六放射帯体の前記第五放射帯体から離れる一端に弧状を描くように接続されており、並びに、前記第二表面に近づく方向に延伸していることを特徴とする請求項１３に記載のアンテナ構造。
【請求項１５】
前記第二放射部は、第一カップリング部、第二カップリング部、第三カップリング部及び第四カップリング部を備え、前記第一カップリング部と前記第一放射帯体は同一面上に設置されており、前記第一カップリング部の一端は前記第一接地部の一端に電気接続されており、並びに、前記第一放射帯体から離れる方向に延伸し、前記第二カップリング部は前記第三表面に設置され、前記第二カップリング部の一端は、前記第一カップリング部の前記第一接地部から離れる一端に弧状を描くように接続されており、前記第二カップリング部のもう一端は、前記第四表面に近づく方向に延伸し、前記第三カップリング部は前記第四表面に設置され、前記第三カップリング部の一端は、前記第二カップリング部の前記第一カップリング部から離れる一端に垂直に接続されており、並びに、第七放射帯体に近づく方向に延伸し、前記第四カップリング部は第四表面に設置され、前記第四カップリング部の一端は、前記第三カップリング部の前記第二カップリング部から離れる一端に垂直に接続され、並びに、前記第七放射帯体に平行に且つ前記第三表面に近づく方向に延伸していることを特徴とする請求項１４に記載のアンテナ構造。
【請求項１６】
前記第三放射部は第一放射アーム、第二放射アーム、第三放射アーム、第四放射アーム、第五放射アーム、第六放射アーム、第七放射アーム及び第八放射アームを備え、前記第一放射アームは第三表面に設置され、前記第一放射アームの一端は、前記第一放射帯体と前記第二放射帯体が接続されている箇所に弧状を描くように接続され、並びに、前記第五放射帯体に平行に且つ前記第四表面に近づく方向に延伸し、前記第二放射アームは前記第四表面に設置され、前記第二放射アームの一端は、前記第一放射アームの前記第二放射帯体から離れる一端に弧状を描くように接続され、並びに、前記第七放射帯体に平行に且つ前記第二表面に近づく方向に延伸し、前記第三放射アームの一端は、前記第二放射アームの前記第一放射アームから離れる一端に垂直に接続され、並びに、前記第七放射帯体に近づく方向に延伸し、前記第四放射アームの一端は、前記第三放射アームの前記第二放射アームから離れる一端に垂直に接続され、並びに、前記第二放射アームに平行に且つ前記第三表面に近づく方向に延伸し、前記第五放射アームは前記第三表面に設置され、前記第五放射アームの一端は、前記第四放射アームの前記第三放射アームから離れる方向に弧状を描くように接続され、並びに、前記第一放射アームに平行に且つ前記第一表面に近づく方向に延伸し、前記第六放射アームと前記第五放射アームは同一面上に設置され、前記第六放射アームの一端は、前記第五放射アームの前記第一放射アームから離れる一側に垂直に接続され、並びに引き続き前記第一放射アームから離れる方向に延伸し、前記第七放射アームと前記第六放射アームは同一面上に設置され、前記第七放射アームの一端は、前記第五放射アームの前記第六放射アームから離れる一側に垂直に接続され、並びに、前記第一放射アームに近づく方向に延伸し、前記第八放射アームは第二表面に設置され、前記第八放射アームは、前記第三放射アームの前記第二放射アーム及び前記第四放射アームから離れる一側に垂直に接続されることを特徴とする請求項１５に記載のアンテナ構造。
【請求項１７】
前記アンテナ構造は第二接地部及び延伸部を含み、前記第二接地部は前記第五表面及び前記第六表面に設置され、且つ前記入力部及び前記第一接地部と間隔をあけて設置されており、前記延伸部は前記第一表面に設置され、且つ順に接続された第一延伸帯体、第二延伸帯体、第三延伸帯体、第四延伸帯体及び第五延伸帯体を備え、前記第一延伸帯体の一端は、前記第二放射帯体の前記第一放射帯体に近い一側に垂直に接続されており、並びに、前記第一放射帯体に平行に且つ前記第五表面に近づく方向に延伸し、前記第二延伸帯体の一端は、前記第一延伸帯体の前記第二放射帯体から離れる一端に垂直に接続され、並びに、前記第二放射帯体に平行に且つ前記第一放射帯体に近づく方向に延伸し、前記第三延伸帯体の一端は、前記第二延伸帯体の前記第一延伸帯体から離れる一端に垂直に接続され、並びに、前記第一延伸帯体に平行に且つ前記第二放射帯体に近づく方向に延伸し、前記第四延伸帯体の一端は、前記第三延伸帯体の前記第二延伸帯体から離れる一端に垂直に接続され、並びに、前記第二延伸帯体に平行に且つ前記第一放射帯体に近づく方向に延伸し、前記第五延伸帯体の一端は、前記第四延伸帯体の前記第三延伸帯体から離れる一端に垂直に接続され、並びに、前記第一放射帯体に平行に且つ前記第二放射帯体から離れる方向に延伸し、前記第二接地部に接続されることを特徴とする請求項１４に記載のアンテナ構造。
【請求項１８】
上記請求項１から１７における何れか一項に記載のアンテナ構造を備える無線通信装置。
【請求項１９】
前記無線通信装置は更にケースを備え、前記ケースは底板及びフレームを備え、前記フレームは前記底板の周縁を囲むように設置され、前記底板と共同で収容空間を形成し、前記収容空間は、アンテナ構造を収容するのに用いられることを特徴とする請求項１８に記載の無線通信装置。
【請求項２０】
前記無線通信装置は更に、クリアランス領域、振動器モジュール、拡声器モジュール、ＵＳＢポートモジュール及び電池を備え、前記クリアランス領域は収容空間内に設けられ、前記振動器モジュールと前記拡声器モジュールは間隔をあけて設置され、前記振動器モジュールと前記拡声器モジュールはクリアランス領域に近設され、前記ＵＳＢポートモジュールは前記振動器モジュールと前記拡声器モジュールとの間に設置され、且つ前記クリアランス領域の上方に位置し、前記電池は、前記振動器モジュールと前記拡声器モジュールの前記クリアランス領域から離れる一側に設置され、前記アンテナ構造は前記クリアランス領域の上方に設置されることを特徴とする請求項１９に記載の無線通信装置。
【発明の詳細な説明】
【技術分野】
【０００１】
本発明は、アンテナ構造及びこのアンテナ構造を備える無線通信装置に関するものである。
【背景技術】
【０００２】
現在常用されているアンテナ設計の形態は、その大部分が単極アンテナ或いは逆Ｆアンテナである。しかしながら、この種類のアンテナは、対応するアンテナクリアランス領域を有する必要がある。したがって、限られたクリアランス領域下で、如何に低周波周波数が７０４−９６０ＭＨｚをカバーするように、また、高周波周波数が１７１０−２６９０ＭＨｚをカバーするよう設計し、且つ最適な放射特性を有するかがアンテナを設計する上で直面する重要な課題である。  
【発明の概要】
【発明が解決しようとする課題】
【０００３】
以上の問題点に鑑みて、本発明は、アンテナ構造及びこのアンテナ構造を備える無線通信装置を提供することを目的とする。
【課題を解決するための手段】
【０００４】
本発明のアンテナ構造は、電流信号を入力するのに用いられる入力部と、アンテナ構造が接地を提供するのに用いられ、且つ入力部と間隔をあけて設置されている第一接地部と、入力部に電気接続されている第一放射部と、第一放射部と間隔をあけて設置されており、並びに、第一接地部と電気接続されている第二放射部と、第二放射部と間隔をあけて設置されており、並びに、入力部及び第一放射部に電気接続されている第三放射部を含む。
【０００５】
本発明の無線通信装置は、上記のアンテナ構造を含む。
【発明の効果】
【０００６】
本発明のアンテナ構造は、切換回路を利用してアンテナ構造の低周波モードを調整し、低周波周波数に切り換わった時、中周波数／高周波数は依然としてブロードバンドを維持でき、並びに、ＬＴＥ−Ａｄｖａｎｃｅのキャリアアグリゲーション（Ｃａｒｒｉｅｒ  Ａｇｇｒｅｇａｔｉｏｎ,ＣＡ）の設計使用が得られる。また、第二接地部に切換回路を設置することで、効果的に入力部のロスを減少させることができる。
【図面の簡単な説明】
【０００７】
【図１】本発明の第一実施形態に係るアンテナ構造が無線通信装置に応用されている状態を示す図である。
【図２】図１に示す無線通信装置の他の角度から見た図である。
【図３】図１に示すアンテナ構造におけるマッチング回路の回路図である。
【図４】図１に示すアンテナ構造における切換回路の回路図である。
【図５】図１に示すアンテナ構造のＳパラメータ（散乱パラメータ）の曲線図である。
【図６】図１に示すアンテナ構造の放射効率の曲線図である。
【図７】図１に示すアンテナ構造の総放射効率の曲線図である。
【図８】本発明の第二実施形態に係るアンテナ構造の構造を示す図である。
【図９】図８に示すアンテナ構造におけるマッチング回路の回路図である。
【図１０】図８に示すアンテナ構造のＳパラメータ（散乱パラメータ）の曲線図である。
【図１１】図８に示すアンテナ構造の切換スイッチが容量値が４ｐｆの第二切換素子に切り替わった時の放射効率の曲線図である。
【図１２】図８に示すアンテナ構造の切換スイッチが容量値が１４ｐｆの第二切換素子に切り替わった時の放射効率の曲線図である。
【図１３】本発明の第三実施形態に係るアンテナ構造の構造を示す図である。
【図１４】図１３に示すアンテナ構造の他の角度から見た図である。
【図１５】図１３に示すアンテナ構造のＳパラメータ（散乱パラメータ）の曲線図である。
【図１６】図１３に示すアンテナ構造の放射効率の曲線図である。
【発明を実施するための形態】
【０００８】
以下具体的な実施形態を図面を参照しながら説明する。
【０００９】
本発明の実施例に係る図面は、本発明の実施例の技術方案に対して明確に且つ完全に説明する。説明する実施例は本発明の一部の実施例であり、全ての実施例ではない。本発明の実施例に基づき、本領域における一般の技術者が、創造的な労働のために対価を支払っていない前提下で取得したその他の実施例は全て本発明が保護する範囲に属する。
【００１０】
尚、素子がもう一つの素子に”電気接続される”と称されると、この素子は、直接もう一つのアセンブリ上に設置される素子であり、或いは、もう一つのアセンブリの内部に存在する素子である。素子がもう一つの素子に”電気接続”されると認められると、この素子は接触接続とすることができ、例えば、導線接続方法でもよいし、或いは非接触式接続とすることができ、例えば非接触式カップリングの方法でもよい。
【００１１】
他に定義しない限り、本文で使用される全ての技術及び科学用語と本発明の技術領域に属する技術者が通常理解できる意味は同じである。本文中の本発明の明細書に使用されている用語は、具体的な実施例の目的を説明するためのものであり、本発明を制限するものではない。本文で使用される用語の”及び／或いは”は、一つ或いは複数の関連する項目のいずれかの組み合わせとこれら全ての組み合わせを含む。
【００１２】
図面は、本発明の実施形態に対する詳細な説明である。矛盾しない状況下において、下記の実施例及び実施例中の特性は互いに組み合わせることができる。
【００１３】
図１を参照すると、本発明の第一実施形態は、アンテナ構造１００を提供する。このアンテナ構造１００は、携帯電話、携帯情報端末（ｐｅｒｓｏｎａｌ  ｄｉｇｉｔａｌ  ａｓｓｉｓｔａｎｔ，ＰＤＡ）等の無線通信装置２００内に設置することができ、無線電波の発射、受信を介して無線信号を送信、交換する。
【００１４】
無線通信装置２００は、ケース２１及びクリアランス領域２３を含む。このケース２１は少なくとも底板２１１及びフレーム２１２を備える。フレーム２１２は、底板２１１の周縁を囲むように設置されており、底板２１１と共同で収容空間２１３を形成している。この収容空間２１３は、無線通信装置２００の電気回路、処理ユニット等の電子素子或いは回路モジュールをその中に設置するのに用いられる。クリアランス領域２３は収容空間２１３の一側に設けられている。クリアランス領域２３は、無線通信装置２００内において導体が存在しない領域であり、外部環境中の電子素子、例えば電池、振動器、スピーカ、電荷結合素子（Ｃｈａｒｇｅ  Ｃｏｕｐｌｅｄ  Ｄｅｖｉｃｅ，ＣＣＤ）等がアンテナ構造１００を干渉して、動作周波数がオフセットされる又は放射効率が低くなるのを防止するのに用いられる。本実施例において、クリアランス領域２３のサイズは略６９．２×８．７ｍｍ２である。
【００１５】
無線通信装置２００は更に少なくとも一つの電子素子を備える。本実施例において、無線通信装置２００は、少なくとも四つの電子素子、即ち、第一電子素子２４、第二電子素子２５、第三電子素子２６及び第四電子素子２７を備える。第一電子素子２４と第二電子素子２５は間隔をあけて設置され、且つクリアランス領域２３に近設されている。第三電子素子２６は、第一電子素子２４と第二電子素子２５との間に設置され、且つクリアランス領域２３の上方に位置する。第四電子素子２７は、第一電子素子２４と第二電子素子２５のクリアランス領域２３から離れる一側に設けられている。本実施例において、第一電子素子２４は振動器モジュールであり、第二電子素子２５は拡声器モジュールであり、第三電子素子２６はユニバーサルシリアルバス（Ｕｎｉｖｅｒｓａｌ  Ｓｅｒｉａｌ  Ｂｕｓ，ＵＳＢ）ポートモジュールであり、第四電子素子２７は電池である。
【００１６】
アンテナ構造１００は、金属板或いはフレキシブルプリント回路基板（ｆｌｅｘｉｂｌｅ  ｐｒｉｎｔｅｄ  ｃｉｒｃｕｉｔ，ＦＰＣ）により製造される。アンテナ構造１００全体はクリアランス領域２３の上方に設置され、且つ入力部１０、第一接地部１１、第二接地部１２、第一放射部１３、第二放射部１４、第三放射部１５、第四放射部１６及び延伸部１７を備える。入力部１０、第一接地部１１及び第二接地部１２は間隔をあけて設置されている。第一放射部１３、第三放射部１５及び第四放射部１６は入力部１０に電気接続されている。第二放射部１４と第一放射部１３、第三放射部１５、第四放射部１６及び延伸部１７は間隔をあけて設置されており、第一接地部１１に電気接続されている。延伸部１７の一端は第一放射部１３に電気接続されており、延伸部１７のもう一端は第二接地部１２に電気接続されている。
【００１７】
図２を参照すると、入力部１０は略シート状を呈し、底板２１１が位置する平面に垂直な平面内に設置されている。入力部１０はクリアランス領域２３の上方に位置し、且つ第一電子素子２４に近設されている。入力部１０は入力源２８（図３を参照）に電気接続するのに用いられ、アンテナ構造１００に電流を供給する。
【００１８】
第一接地部１１は略シート状を呈し、底板２１１が位置する平面に垂直な平面内に設置されている。第一接地部１１は入力部１０と間隔をあけて設けられており、接地点２９（図４を参照）に電気接続するのに用いられ、アンテナ構造１００に接地を提供する。本発明の実施例において、第一接地部１１の長さは入力部１０の長さより長い。
【００１９】
第二接地部１２は略シート状を呈し、底板２１１及び入力部１０が位置する平面に垂直な平面内に設置されている。第二接地部１２は入力部１０の第一接地部１１から離れる一側に設けられており、且つ第一電子素子２４に近設されている。第二接地部１２は接地点２９に電気接続するのに用いられ、アンテナ構造１００に接地を提供する。
【００２０】
第一放射部１３は、第一放射帯体１３１、第二放射帯体１３３、第三放射帯体１３５及び第四放射帯体１３７を含む。第一放射帯体１３１は略矩形を呈し、底板２１１に平行な平面内に設置されている。第一放射帯体１３１の一端は、入力部１０の底板２１１から離れる一端に電気接続されており、第一放射帯体１３１のもう一端は、第一電子素子２４から離れる方向に沿って延伸している。第二放射帯体１３３は略矩形状を呈し、第一放射帯体１３１と同一面上に設置されている。第二放射帯体１３３の一端は、第一放射帯体１３１の入力部１０から離れる一端に垂直に接続されており、並びに、第一電子素子２４及び第二放射部１４から離れる方向に沿って延伸し、第三電子素子２６を超え、引き続き第一電子素子２４から離れる方向に沿って、且つ第二電子素子２５に近づく方向に延伸する。第二放射帯体１３３の一端は、第二電子素子２５の第一電子素子２４に近い一側とほぼ同一面上に位置する。
【００２１】
第三放射帯体１３５の一端は、第二放射帯体１３３の第一放射帯体１３１から離れる一端に弧状を描くように接続されており、第三放射帯体１３５のもう一端は、入力部１０に平行に且つ底板２１１に近づく方向に延伸した後直角に湾曲し、第二放射帯体１３３に平行に且つ第一放射帯体１３１及び第二放射部１４から離れる方向に延伸し、第二電子素子２５を超える。第四放射帯体１３７は略矩形状を呈し、第二放射帯体１３３が位置する平面に垂直な平面内に設置されている。第四放射帯体１３７の一端は、第三放射帯体１３５の第二放射帯体１３３から離れる一端に弧状を描くように接続されており、第四放射帯体１３７のもう一端は底板２１１に近づく方向に延伸している。
【００２２】
第二放射部１４は、順に接続された第一カップリング部１４１、第二カップリング部１４３、第三カップリング部１４５、第四カップリング部１４７及び第五カップリング部１４９を備える。第一カップリング部１４１は略矩形のシート状を呈し、且つ第一放射帯体１３１と同一面上に設置されている。第一カップリング部１４１の一端は第一接地部１１の底板２１１から離れる一端に垂直に接続されており、並びに、第一放射帯体１３１に平行に且つ第一電子素子２４から離れる方向に延伸している。
【００２３】
第二カップリング部１４３の一端は、第一カップリング部１４１の第一接地部１１から離れる一端に弧状を描くように接続されており、第二カップリング部１４３のもう一端は、第三放射帯体１３５に平行に且つ底板２１１に近づく方向に延伸している。第三カップリング部１４５、第四カップリング部１４７、第五カップリング部１４９は、第四放射帯体１３７と同一面上に設置されている、第三カップリング部１４５は略シート状を呈し、その一端は第二カップリング部１４３の第一カップリング部１４１から離れる一端に弧状を描くように接続されており、並びに、第四放射帯体１３７に平行に且つ底板２１１に近づく方向に延伸している。第四カップリング部１４７は略シート状を呈し、その一端は第三カップリング部１４５の第二カップリング部１４３から離れる一端に垂直に接続されている。第五カップリング部１４９は略シート状を呈し、その一端は第四カップリング部１４７の第三カップリング部１４５から離れる一端に垂直に接続されており、並びに、第三カップリング部１４５に平行に且つ第二放射帯体１３３に近づく方向に延伸している。このように、第三カップリング部１４５、第四カップリング部１４７及び第五カップリング部１４９は共同でＵ時型の構造を形成する。
【００２４】
第三放射部１５は第一放射アーム１５１及び第二放射アーム１５３を備える。第一放射アーム１５１の一端は、第一放射帯体１３１と第二放射帯体１３３が接続されている箇所に弧状を描くように接続され、並びに、第二カップリング部１４３に平行に且つ底板２１１に近づく方向に延伸する。第二放射アーム１５３は略矩形状を呈し、且つ第二放射帯体１３３に平行な平面内に設置されている。第二放射アーム１５３の一端は、第一放射アーム１５１の第一放射帯体１３１から離れる一端に垂直に接続されており、並びに、第二放射帯体１３３に平行に且つ第二電子素子２５に近づく方向に延伸している。本実施例において、第二放射アーム１５３の長さは第二放射帯体１３３の長さより短い。第三カップリング部１４５、第四カップリング部１４７及び第五カップリング部１４９が共同で形成するＵ字型の構造は、第三放射部１５を囲むように設けられている。
【００２５】
第四放射部１６は略矩形状を呈し、且つ第一放射帯体１３１と同一面上に設置されている。第四放射部１６の一端は、第一放射帯体１３１の第二放射帯体１３３に近く且つ第一カップリング部１４１から離れる一側に垂直に接続され、並びに第二放射帯体１３３に平行に且つ第二電子素子２５に近づく方向に延伸している。本実施例において、第四放射部１６と第二放射帯体１３３は共に、第一放射帯体１３１の第一カップリング部１４１から離れた同一側に設置されている。第四放射部１６の長さも第二放射帯体１３３の長さより短く、且つ第二放射アーム１５３の長さに相当する。
【００２６】
延伸部１７は略Ｌ字型を呈する。延伸部１７は第一延伸帯体１７１及び第二延伸帯体１７３を備える。第一延伸帯体１７１は略矩形状を呈し、第一放射帯体１３１と同一面上に設置されている。第一延伸帯体１７１の一端は第二放射帯体１３３の一側の中央部に垂直に接続され、並びに第一放射帯体１３１に平行に且つ第一電子素子２４に近づく方向に延伸している。第二延伸帯体１７３は略矩形状を呈し且つ第一放射帯体１３１と同一面上に設置されている。第二延伸帯体１７３の一端は、第一延伸帯体１７１の第二放射帯体１３３から離れる一端に垂直に接続されており、並びに第二放射帯体１３３に平行に且つ第一放射帯体１３１に近づく方向に延伸し、第二接地部１２の底板２１１から離れる一端に垂直に接続されている。本実施例において、第一延伸帯体１７１の長さは第一放射帯体１３１の長さより長く、第四放射部１６は第二放射帯体１３３と第二延伸帯体１７３との間に位置する。つまり、第二放射帯体１３３と延伸部１７は共同で第四放射部１６を囲むように設置されている。
【００２７】
図３を参照すると、本実施例において、アンテナ構造１００はマッチング回路１８を備える。このマッチング回路１８の一端は入力源２８に電気接続されており、マッチング回路１８のもう一端は入力部１０に電気接続されている。具体的には、マッチング回路１８は、第一マッチング素子１８１及び第二マッチング素子１８３を備える。第一マッチング素子１８１の一端は、入力源２８に電気接続され、第一マッチング素子１８１のもう一端は、第二マッチング素子１８３の一端及び入力部１０に電気接続されている。第二マッチング素子１８３のもう一端は接地している。本実施例において、第一マッチング素子１８１は容量であり、その容量値は２．５ｐＦである。第二マッチング素子１８３はインダクタンスであり、そのインダクタンス値は８ｎＨである。その他の実施例において、第一マッチング素子１８１は前記容量に制限されず、その他の容量、インダクタンス或いは容量とインダクタンスとの組み合わせでもよい。同様に、第二マッチング素子１８３は前記のインダクタンスに制限されず、その他のインダクタンス、容量或いはインダクタンスと容量との組み合わせでもよい。
【００２８】
図４を参照すると、本実施例において、アンテナ構造１００は更に切換回路１９を備える。この切換回路１９の一端は、第二接地部１２に電気接続されており、切換回路１９のもう一端は接地点２９に電気接続されている。つまり接地されている。具体的には、切換回路１９は、切換ユニット１９１及び少なくとも一つの第一切換素子１９３を備える。本実施例において、切換回路１９は三つの第一切換素子１９３を有する。この三つの第一切換素子１９３はインダクタンスであり、インダクタンス値はそれぞれ、６．２ｎＨ、１２ｎＨ、１６ｎＨである。切換ユニット１９１は第二接地部１２に電気接続されている。第一切換素子１９３間は互いに並列接続されており、第一切換素子１９３の一端は切換ユニット１９１に電気接続されている。第一切換素子１９３のもう一端は接地点２９に電気接続されている。つまり接地されている。このように、切換ユニット１９１の切換を制御することで、第二接地部１２を異なる第一切換素子１９３に切り換えさせることができる。各第一切換素子１９３ごとにインダクタンスが異なることから、切換ユニット１９１を切り換えることで、効果的にアンテナ構造１００の低周波周波数を調整することができる。
【００２９】
例えば、切換ユニット１９１はインダクタンス値が６．２ｎＨの第一切換素子１９３に切り換わった時、アンテナ構造１００はＢａｎｄ５の周波数（８６９−８９４ＭＨｚ）及びＢａｎｄ８の周波数（９２５−９２６ＭＨｚ）で動作できる。切換ユニット１９１がインダクタンス値が１２ｎＨの第一切換素子１９３に切り換わった時、アンテナ構造１００はＢａｎｄ２０の周波数（７９１−８６２ＭＨｚ）で動作できる。切換ユニット１９１がインダクタンス値が１６ｎＨの第一切換素子１９３に切り換わった時、アンテナ構造１００はＢａｎｄ１７の周波数（７０４−７４６ＭＨｚ）で動作できる。
【００３０】
当然、第一切換素子１９３はこのインダクタンスに制限されず、その他のインダクタンス、容量或いはインダクタンスと容量との組み合わせでもよい。また、第一切換ユニット１９３の数量も三つに制限されず、その数量は実際の状況に応じて調節できる。
【００３１】
電流が入力部１０から入力されると、電流は第一放射部１３、第三放射部１５、第四放射部１６及び延伸部１７にそれぞれ流れて、並びに第二接地部１２を介して接地される。また、第一放射帯体１３１を流れた電流は、第二放射部１４までカップリングして、並びに第一接地部１１を介して接地される。このように第一放射部１３は低周波モードを励起するのに用いることができる。第二放射部１４は中周波数／高周波数の第一モードを励起するのに用いることができ、第一放射部１３の二倍の周波数変調は中周波数／高周波数の第二モードを励起し、第四放射部１６は中周波数／高周波数の第三モードを励起する。また、アンテナ構造１００は、切換回路１９を設置することで、効果的にアンテナ構造１００の低周波モードを切り換え及び調整できる。
【００３２】
上述したように、アンテナ構造１００は、切換回路１９を利用してアンテナ構造１００の低周波モードを調整し、低周波周波数を切り換えた時、中周波数／高周波数帯域は依然としてブロードバンドを保持することができ、並びに、ＬＴＥ−Ａｄｖａｎｃｅのキャリアアグリゲーション（Ｃａｒｒｉｅｒ  Ａｇｇｒｅｇａｔｉｏｎ,ＣＡ）の設計使用が得られる。また、第二接地部１２に切換回路１９を設置することで、効果的に入力部１０のロスを減少させることができる。
【００３３】
図５は、アンテナ構造１００のＳパラメータ（散乱パラメータ）の曲線図である。曲線Ｓ５１は、アンテナ構造１００中の切換回路１９がインダクタンス値６．２ｎＨの第一切換素子１９３に切り換わった時のＳ１１の値である。曲線Ｓ５２は、アンテナ構造１００中の切換回路１９がインダクタンス値が１２ｎＨの第一切換素子１９３に切り換わった時のＳ１１の値である。曲線Ｓ５３は、アンテナ構造１００中の切換回路１９がインダクタンス値が１６ｎＨの第一切換素子１９３に切り換わった時のＳ１１の値である。明らかに、切換回路１９が異なる第一切換素子１９３に切り換わった時、アンテナ構造１００は異なる低周波周波数、例えば、Ｂａｎｄ５の周波数（８６９−８９４ＭＨｚ）、Ｂａｎｄ８の周波数（９２５−９２６ＭＨｚ）、Ｂａｎｄ２０の周波数（７９１−８６２ＭＨｚ）及びＢａｎｄ１７の周波数（７０４−７４６ＭＨｚ）で動作できる。また、アンテナ構造１００の中周波数／高周波数の第二モードは、第一放射部１３の二倍の周波数変調に励起される。これに伴い、アンテナ構造１００は、切換回路１９を介して低周波モードを調整する時に、アンテナ構造１００の中周波数／高周波数モードの第二モードも調整できる。言い換えると、アンテナ構造１００は切換回路１９を利用して低周波周波数を切り換える及び調整する時に、切換回路１９は中周波数／高周波数の第二モードにのみ影響し、中周波数／高周波数のブロードバンド特性を維持できる。
【００３４】
図６は、アンテナ構造１００の放射効率の曲線図である。曲線Ｓ６１は、アンテナ構造１００中の切換回路１９がインダクタンス値が６．２ｎＨの第一切換素子１９３に切り換わった時の放射効率である。曲線Ｓ６２は、アンテナ構造１００中の切換回路１９がインダクタンス値が１２ｎＨの第一切換素子１９３に切り換わった時の放射効率である。曲線Ｓ６３は、アンテナ構造１００中の切換回路１９がインダクタンス値が１６ｎＨの第一切換素子１９３に切り換わった時の放射効率である。
【００３５】
図７は、アンテナ構造１００の総放射効率の曲線図である。曲線Ｓ７１は、アンテナ構造１００中の切換回路１９がインダクタンス値が６．２ｎＨの第一切換素子１９３に切り換わった時の総放射効率である。曲線Ｓ７２は、アンテナ構造１００中の切換回路１９がインダクタンス値が１２ｎＨの第一切換素子１９３に切り換わった時の総放射効率である。曲線Ｓ７３は、アンテナ構造１００中の切換回路１９がインダクタンス値１６ｎＨの第一切換素子１９３に切り換わった時の総放射効率である。
【００３６】
図６及び図７からわかるように、アンテナ構造１００は切換回路１９の切り換えを介して、現在常用されている通信システムが必要とするシステム帯域幅を完全にカバーする。例えば、アンテナ構造１００の低周波数は、７００−９６０ＭＨｚをカバーし、且つアンテナ構造１００が低周波モードの時の放射効率及び総放射効率が３０−３８％であり、アンテナ構造１００の中周波数／高周波数が１７１０−２１７０ＭＨｚをカバーし、且つ中周波数／高周波数モードの時の放射効率及び総放射効率が４３−６５％である時、アンテナ設計に対する要求を満たすことができる。
【００３７】
図８及び図９を見ると、本発明の第二実施形態はアンテナ構造３００を提供する。アンテナ構造３００は、入力部１０、第一接地部１１、第一放射部３３、第二放射部３４、第三放射部３５及びマッチング回路３８を備える。アンテナ３００がアンテナ１００と違う点は、アンテナ３００は、アンテナ１００の第二接地部１２、第四放射部１６、延伸部１７及び切換回路１９を備えていない。つまり、アンテナ１００中の第二接地部１２、第四放射部１６、延伸部１７及び切換回路１９が省略されている点である。また、第一放射部３３、第二放射部３４、第三放射部３５及びマッチング回路３８の具体的な構造は、アンテナ１００中の第一放射部１３、第二放射部１４、第三放射部１５及びマッチング回路１８の構造と異なる。
【００３８】
具体的には、第一放射部３３は、第一放射帯体３３１、第二放射帯体３３３、第三放射帯体３３５及び第四放射帯体３３７を有する。第一放射帯体３３１は略矩形状を呈し、底板２１１に平行な平面内に設置されている。第一放射帯体３３１の一端は、入力部１０の底板２１１から離れる一端に電気接続されており、第一放射帯体３３１のもう一端は、第一電子素子２４から離れる方向に延伸している。第二放射帯体３３３は略矩形状を呈し、且つ第一放射帯体３３１と同一面上に設置されている。第二放射帯体３３３の一端は、第一放射帯体３３１の入力部１０から離れる一端に垂直に電気接続されており、並びに第一電子素子２４及び第二放射部３４から離れる方向に沿って延伸し、第三電子素子２６を超えて、引き続き第一電子素子２４から離れる方向に且つ第二電子素子２５に近づく方向に延伸し、第二電子素子２５の第一電子素子２４に近い一側と同一面上に位置する。
【００３９】
第三放射帯体３３５と第一放射帯体３３１及び第二放射帯体３３３は同一面上に設置されている。第三放射帯体３３５の一端は、第二放射帯体３３３の第一放射帯体３３１から離れる一端に垂直に接続されており、並びに、第一放射帯体３３１に平行に且つ第一放射帯体３３１から離れる方向にある一定の距離延伸した後直角に湾曲して、第二放射帯体３３３に平行に且つ第一放射帯体３３１から離れる方向に延伸し、第二電子素子２５を超える。第四放射帯体３３７は略矩形状を呈し、且つ第二放射帯体３３３が位置する平面に垂直な平面内に設置されている。第四放射帯体３３７の一端は、第三放射帯体３３５の第二放射帯体３３３から離れる一端に垂直に接続されており、第四放射帯体３３７のもう一端は底板２１１に近づく方向に延伸している。
【００４０】
第二放射部３４は、順に接続されている第一カップリング部３４１、第二カップリング部３４３、第三カップリング部３４５及び第四カップリング部３４７を備える。第一カップリング部３４１は略矩形状を呈し、且つ第一放射帯体３３１と同一面上に設置されている。第一カップリング部３４１の一端は、第一接地部１１の底板２１１から離れる一端に垂直に接続されており、並びに第一放射帯体３３１に平行に且つ第一電子素子２４から離れる方向に延伸している。
【００４１】
第二カップリング部３４３と第四放射帯体３３７は同一面上に設置されている。第二カップリング部３４３の一端は、第一カップリング部３４１の第一接地部１１から離れる一端に垂直に接続されており、第二カップリング部３４３のもう一端は、底板２１１に近づく方向に延伸している。第三カップリング部３４５、第四カップリング部３４７及び第二カップリング部３４３は同一面上に設置されている。第三カップリング部３４５は略シート状を呈し、且つその一端は、第二カップリング部３４３の第一カップリング部３４１から離れる一端に垂直に接続されており、並びに、第四放射帯体３３７に近づく方向に延伸している。第四カップリング部３４７は略シート状を呈し、且つその一端は、第三カップリング部３４５の第二カップリング部３４３から離れる一端に垂直に接続されており、並びに、第二カップリング部３４３に平行に且つ第二放射帯体３３３に近づく方向に延伸している。このように、第二カップリング部３４３、第三カップリング部３４５及び第四カップリング部３４７は共同でＵ字型の構造を形成する。
【００４２】
第三放射部３５は、第一放射アーム３５１及び第二放射アーム３５３を有する。第一放射アーム３５１と第一放射帯体３３１同一面上に設置されている。第一放射アーム３５１の一端は、第一放射帯体３３１と第二放射帯体３３３が接続されている箇所に垂直に接続されており、並びに、第一カップリング部３４１に平行に且つ第一放射帯体３３１から離れる方向に延伸している。第二放射アーム３５３は略矩形状を呈し、且つ第四放射帯体３３７に平行な平面内に設置されている。第二放射アーム３５３の一端は第一放射アーム３５１の第一放射帯体３３１から離れる一端に垂直に接続されており、並びに、第三カップリング部３４５に平行に且つ第二電子素子２５に近づく方向に延伸している。
【００４３】
図９を参照すると、本実施例において、アンテナ構造３００のマッチング回路３８は、第一マッチング素子３８１、切換スイッチＳＷ及び少なくとも一つの第二切換素子３８３を備える。本実施例において、マッチング回路３８は二つの第二切換素子３８３を有する。この二つの第二切換素子３８２は容量であり、且つその容量値はそれぞれ４ｐｆ、１４ｐｆである。第一マッチング素子３８１はインダクタンスであり、そのインダクタンス値は８ｎＨである。第一マッチング素子３８１の一端は、入力源２８及び切換スイッチＳＷの一端に電気接続されている。第一マッチング素子３８１のもう一端は接地している。二つの第二切換素子３８３は互いに並列接続されており、且つその一端は切換スイッチＳＷのもう一端に電気接続されている。二つの第二切換スイッチ３８３のもう一端は、入力部１０に電気接続されている。このように切換スイッチＳＷの切り換えを制御することで、入力部１０を異なる第二切換素子３８３に切り換えさせることができる。各第二切換素子３８３は異なる容量を有することから、切換スイッチＳＷを切り換えることによって、アンテナ構造３００の低周波周波数を調整することができる。
【００４４】
例えば、切換スイッチＳＷが容量が４ｐｆの第二切換スイッチ３８３に切り換わった時、アンテナ構造３００は、９００ＭＨｚの周波数で動作できる。切換スイッチＳＷが容量１４ｐｆの第二切換スイッチ３８３に切り換わった時、アンテナ構造３００は、７００ＭＨｚの周波数で動作できる。当然、第二切換スイッチ３８３は前記容量に制限されず、その他の容量、インダクタンス或いはインダクタンスと容量の組み合わせでもよい。また、第二切換スイッチ３８３の数量も二つに制限されず、状況に応じて調整できる。
【００４５】
図１０は、アンテナ構造３００のＳパラメータ（散乱パラメータ）の曲線図である。曲線Ｓ１０１は、アンテナ３００中の切換スイッチＳＷが、容量値が４ｐｆの第二切換素子３８３に切り換わった時のＳ１１の値である。曲線Ｓ１０２は、アンテナ構造３００中の切換スイッチＳＷが容量値が１４ｐｆの第二切換素子３８３に切り換わった時のＳ１１の値である。
【００４６】
図１１は、アンテナ構造３００中の切換スイッチＳＷが、容量値が４ｐｆの第二切換素子３８３に切り替わった時の放射効率の曲線図である。曲線Ｓ１１１は、アンテナ構造３００中の切換スイッチＳＷが容量値４ｐｆの第二切換素子３８３に切り換わった時の放射効率である。曲線Ｓ１１２は、アンテナ構造３００中の切換スイッチＳＷが、容量値４ｐｆの第二切換素子３８３に切り換わった時の総放射効率である。
【００４７】
図１２は、アンテナ構造３００中の切換スイッチＳＷが、容量値が１４ｐｆの第二切換素子３８３に切り替わった時の放射効率の曲線図である。曲線Ｓ１２１はアンテナ構造３００中の切換スイッチＳＷが容量値１４ｐｆの第二切換素子３８３に切り換わった時の放射効率である。曲線Ｓ１２２は、アンテナ構造３００中の切換スイッチＳＷが容量値１４ｐｆの第二切換素子３８３に切り換わった時の総放射効率である。
【００４８】
図１３及び図１４を参照すると、本発明の第三実施形態は、アンテナ構造４００を提供する。アンテナ構造４００は少なくとも、入力部４０、第一接地部４１、第二接地部４２、第一放射部４３、第二放射部４４、第三放射部４５及び延伸部４７を備える。アンテナ構造４００がアンテナ構造１００と異なる点は、アンテナ構造４００はアンテナ構造１００の第四放射部１６を備えていない。つまり、アンテナ構造１００の第四放射部１６は省略されている点である。また、アンテナ構造４００は基板４０１を含む。また、アンテナ構造４００中の第一放射部４３、第二放射部４４、第三放射部４５及び延伸部４７の構造は、アンテナ構造１００中の第一放射部１３、第二放射部１４、第三放射部１５及び延伸部１７の構造と異なる。
【００４９】
具体的には、本実施例において、基板４０１はアンテナ構造４００を支持するのに用いられる。基板４０１は、第一表面４０２、第二表面４０３、第三表面４０４、第四表面４０５、第五表面４０６及び第六表面４０７を有する。第一表面４０２は第二表面４０３と対向し且つ互いに平行に設置されている。第三表面４０４は、第一表面４０２の一側に弧状を描くように接続されている。第四表面４０５の一端は、第三表面４０４に弧状を描くように接続されており、第四表面４０５のもう一端は、第二表面４０３に垂直に接続されている。第五表面４０６は、第三表面４０４と対向して設置されており且つ第一表面４０２の第三表面４０４に対向するもう一側に弧状を描くように接続されている。第六表面４０７は、第一表面４０２及び第二表面４０３と対向しており且つ互いに平行に設置されている。また、第六表面４０７は、第一表面４０２と第二表面４０３との間に位置している。第六表面４０７は、第五表面４０６の第一表面４０２から離れる一側に弧状を描くように接続されている。
【００５０】
入力部４０は略矩形状を呈する。入力部４０の全体は第五表面４０６に設置されており、並びに、第六表面４０７まで延伸している。入力部４０はアンテナ構造４００に電流を供給するのに用いられる。
【００５１】
第一接地部４１は略矩形状を呈する。第一接地部４１の全体は、第五表面４０６に設置されており、並びに第六表面４０７まで延伸している。第一接地部４１と入力部４０は間隔をあけて設置されており、アンテナ構造４００が接地を提供するのに用いられる。
【００５２】
第二接地部４２は略矩形状を呈する。第二接地部４２の全体は第五表面４０６に設置されており、並びに、第六表面４０７まで延伸している。第二接地部４２は、入力部４０の第一接地部４１から離れる一側に設置されている。第二接地部４２は、アンテナ構造４００に接地を提供するのに用いられる。
【００５３】
第一放射部４３の全体は、第一表面４０２、第三表面４０４及び第四表面４０５に設置されている。第一放射部４３は、第一放射帯体４３１、第二放射帯体４３２、第三放射帯体４３３、第四放射帯体４３４、第五放射帯体４３５、第六放射帯体４３６及び第七放射帯体４３７を備える。第一放射帯体４３１は略矩形状を呈し、且つ第一表面４０２に設置されている。第一放射帯体４３１の一端は、入力部４０の第五表面４０６に近い一端に電機接続されており、第一放射帯体４３１のもう一端は、第三表面４０４に近づく方向に延伸している。第二放射帯体４３２は略矩形状を呈し、第一放射帯体４３１と同一面上に設置されている。第二放射帯体４３２の一端は、第一放射帯体４３１の入力部４０から離れる一端に垂直に接続されており、並びに、第一接地部４１から離れる方向に延伸している。
【００５４】
第三放射帯体４３３の全体は第三表面４０４上に設置されている。第三放射帯体４３３の一端は、第二放射帯体４３２の第一放射帯体４３１から離れる一端に弧状を描くように接続されており、且つ第四表面４０５に近づく方向に延伸している。第四放射帯体４３４は略矩形状を呈しており、第四表面４０５上に設置されている。第四放射帯体４３４の一端は、第三放射帯体４３３の第二放射帯体４３２から離れる一端に弧状を描くように接続されており、並びに、第二表面４０３に近づく方向に延伸している。第五放射帯体４３５は略矩形状を呈しており、第三表面４０４に設置されている。第五放射帯体４３５の一端は、第二放射帯体４３２の第三放射帯体４３３に近く且つ第一放射帯体４３１に背向する一側に弧状を描くように接続されている。第五放射帯体４３５のもう一端は、第四表面４０５に近づく方向に延伸している。第六放射帯体４３６は略矩形状を呈し、第五放射帯体４３５と同一面上に設置されており、並びに第五放射帯体４３５と略Ｌ字型の構造を形成している。第六放射帯体４３６の一端は、第五放射帯体４３５の第二放射帯体４３２から離れる一側に垂直に設置されており、第六放射帯体４３６のもう一端は、引き続き第四表面４０５の方向に沿って延伸している。本実施例において、第五放射帯体４３５の幅は、第六放射帯体４３６の幅より広い。第七放射帯体４３７は略矩形状を呈し、第四表面４０５上に設置されている。第七放射帯体４３７の一端は、第六放射帯体４３６の第五放射帯体４３５から離れる一端に弧状を描くように接続されており、並びに、第二表面４０３に近づく方向に延伸している。
【００５５】
第二放射部４４は、第一カップリング部４４１、第二カップリング部４４３、第三カップリング部４４５及び第四カップリング部４４７を備える。第一カップリング部４４１は略矩形状を呈し、第一放射帯体４３１と同一面上に設置されている。第一カップリング部４４１の一端は、第一接地部４１の一端に電気接続されており、並びに第一放射帯体４３１から離れる方向に延伸している。
【００５６】
第二カップリング部４４３は第三表面４０４に設置されている。第二カップリング部４４３の一端は、第一カップリング部４４１の第一接地部４１から離れる一端に弧状を描くように接続されており、第二カップリング部４４３のもう一端は第四表面４０５に近づく方向に延伸している。第三カップリング部４４５は略シート状を呈し、第四表面４０５に設置されている。第三カップリング部４４５の一端は、第二カップリング部４４３の第一カップリング部４４１から離れる一端に垂直に接続されており、並びに、第七放射帯体４３７に近づく方向に延伸している。第四カップリング部４４７は略シート状を呈し、第四表面４０５に設置されている。第四カップリング部４４７の一端は、第三カップリング部４４５の第二カップリング部４４３から離れる一端に垂直に接続されており、並びに、第七放射帯体４３７に平行に且つ第三表面４０４に近づく方向に延伸している。
【００５７】
第三放射部４５は、第一放射アーム４５１、第二放射アーム４５２、第三放射アーム４５３、第四放射アーム４５４、第五放射アーム４５５、第六放射アーム４５６、第七放射アーム４５７及び第八放射アーム４５８を備える。第一放射アーム４５１は略矩形状を呈し、第三表面４０４に設置されている。第一放射アーム４５１の一端は、第一放射帯体４３１と第二放射帯体４３２が接続されている箇所に弧状を描くように接続されており、並びに、第五放射帯体４３５に平行に且つ第四表面４０５に近づく方向に延伸している。第二放射アーム４５２は略矩形状を呈し、第四表面４０５に設置されている。第二放射アーム４５２の一端は、第一放射アーム４５１の第二放射帯体４３２から離れる一端に弧状を描くように接続されており、並びに、第七放射帯体４３７に平行に且つ第二表面４０３に近づく方向に延伸している。第三放射アーム４５３は略矩形状を呈し、第三放射アーム４５３の一端は、第二放射アーム４５２の第一放射アーム４５１から離れる一端に垂直に接続されており、並びに、第七放射帯体４３７に近づく方向に延伸している。第四放射アーム４５４は略矩形状を呈し、第四放射アーム４５４の一端は、第三放射アーム４５３の第二放射アーム４５２から離れる一端に垂直に接続され、並びに、第二放射アーム４５２に平行に、且つ第三表面４０４に近づく方向に延伸している。本実施例において、第二放射アーム４５２、第三放射アーム４５３及び第四放射アーム４５４は同一面上に設置されており、且つ略Ｕ字型の構造を形成している。
【００５８】
第五放射アーム４５５は略矩形状を呈し、  且つ第三表面４０４に設置されている。第五放射アーム４５５の一端は、第四放射アーム４５４の第三放射アーム４５３から離れる一端に弧状を描くように接続されており、並びに、第一放射アーム４５１に平行に且つ第一表面４０２に近づく方向に延伸している。第六放射アーム４５６は略矩形状を呈し、且つ第五放射アームと４５５と同一面上に設置されている。第六放射アーム４５６の一端は、第五放射アーム４５５の第一放射アーム４５１から離れる一側に垂直に接続されており、並びに、引き続き第一放射アーム４５１から離れる方向に沿って延伸している。第七放射アーム４５７は略矩形状を呈し、且つ第六放射アーム４５６と同一面上に設置されている。第七放射アーム４５７の一端は、第五放射アーム４５５の第六放射アーム４５６から離れる一側に垂直に接続され、並びに第一放射アーム４５１に近づく方向に沿って延伸している。本実施例において、第六放射アーム４５６の幅は第七放射アーム４５７の幅より広いが、第六放射アーム４５６の長さは第七放射アーム４５７の長さより短い。第八放射アーム４５８は略矩形状を呈し、第二表面４０３に設置されている。第八放射アーム４５８は、第三放射アーム４５３の第二放射アーム４５２から離れる一端に垂直に接続されている。
【００５９】
延伸部４７の全体は第一表面４０２に設置されており、且つ順に接続されている第一延伸帯体４７１、第二延伸帯体４７３、第三延伸帯体４７５、第四延伸帯体４７７及び第五延伸帯体４７９を含む。第一延伸帯体４７１は略矩形状を呈する。第一延伸帯体４７１の一端は、第二放射帯体４３２の第一放射帯体４３１に近い一側に垂直に接続されており、並びに、第一放射帯体４３１に平行に且つ第五表面４０６に近づく方向に延伸している。第二延伸帯体４７３は略矩形状を呈する。第二延伸帯体４７３の一端は、第一延伸帯体４７１の第二放射帯体４３２から離れる一端に垂直に接続されており、並びに、第二放射帯体４３２に平行に且つ第一放射帯体４３１に近づく方向に延伸している。
【００６０】
第三延伸帯体４７５は略矩形状を呈し、第三延伸帯体４７５の一端は、第二延伸帯体４７３の第一延伸帯体４７１から離れる一端に垂直に接続されており、並びに、第一延伸帯体４７１に平行に且つ第二放射帯体４３２に近づく方向に延伸している。第四延伸帯体４７７は略矩形状を呈し、第四延伸帯体４７７の一端は、第三延伸帯体４７５の第二延伸帯体４７３から離れる一端に垂直に接続されており、並びに、第二延伸帯体４７３に平行に且つ第一放射帯体４３１に近づく方向に延伸している。第五延伸帯体４７９は略矩形状を呈し、第五延伸帯体４７９の一端は、第四延伸帯体４７７の第三延伸帯体４７５から離れる一端に垂直に接続されており、並びに、第一放射帯体４３１に平行に且つ第二放射帯体４３２から離れる方向に延伸し、第二接地部４２に接続される。本実施例において、第一延伸帯体４７１の長さは第一放射帯体４３１の長さより長く、第三延伸帯体４７５の長さは第一延伸帯体４７１の長さより短い。第四延伸帯体４７７の長さは第二延伸帯体４７３の長さより短い。第五延伸帯体４７９の長さは第三延伸帯体４７５の長さより短い。
【００６１】
図１５及び図１６は、それぞれアンテナ構造４００のＳパラメータ（散乱パラメータ）の曲線図と放射効率を示す図である。図１５及び図１６を見れば明らかなように、アンテナ構造４００の低周波数は、８８０−９６０ＭＨｚをカバーでき、中周波数／高周波数は、１７１０−２１７０ＭＨｚをカバーでき、そのＳパラメータ（散乱パラメータ）及びアンテナ効率は、通常のアンテナ設計の要求を満たしており、且つ設計上においてもＣＡを支持している。他の実施例において、第二接地部４２に、図４に示す切換回路１９を追加することができる。これにより、アンテナ構造４００の低周波数は７００−９６０ＭＨｚまでカバーすることができる。
【００６２】
以上の実施方法は、本発明の技術方案を説明するのに用いられるだけで制限するものではない。
以上の実施形態を参照して本発明に対して詳細に説明するが、本領域における通常の技術者であれば、本発明の技術方案の修正又は同等のものに置き換えることに対して、本発明の技術方案の精神及び範囲を逸脱してはならないことは理解できることである。本領域の技術者は本発明の技術効果から逸脱しなければ、本発明の精神内において、その他の変化等を本発明に用いることができる。この本発明の精神に基づく変化は、全て本発明が要求する保護範囲内でなければならない。
【符号の説明】
【００６３】
１０、４０  入力部  
１１、４１  第一接地部
１２、４２  第二接地部
１３、３３、４３  第一放射部
１４、３４、４４  第二放射部
１５、３５、４５  第三放射部
１６  第四放射部
１７、４７  延伸部
１８、３８  マッチング回路
１９  切換回路
２１  ケース
２３  クリアランス領域
２４  第一電子素子
２５  第二電子素子
２６  第三電子素子
２７  第四電子素子
２８  入力源
２９  接地点
１００、３００、４００  アンテナ構造
１３１、３３１、４３１  第一放射帯体
１３３、３３３、４３２  第二放射帯体
１３５、３３５、４３３  第三放射帯体
１３７、３３７、４３４  第四放射帯体
４３５  第五放射帯体
４３６  第六放射帯体
４３７  第七放射帯体
１４１、３４１、４４１  第一カップリング部
１４３、３４３、４４３  第二カップリング部
１４５、３４５、４４５  第三カップリング部
１４７、３４７、４４７  第四カップリング部
１４９  第五カップリング部
１５１、３５１、４５１  第一放射アーム
１５３、３５３、４５２  第二放射アーム
４５３  第三放射アーム
４５４  第四放射アーム
４５５  第五放射アーム
４５６  第六放射アーム
４５７  第七放射アーム
４５８  第八放射アーム
１７１、４７１  第一延伸帯体
１７３、４７３  第二延伸帯体
４７５  第三延伸帯体
４７７  第四延伸帯体
４７９  第五延伸帯体
１８１、３８１  第一マッチング素子
１８３  第二マッチング素子
１９１  切換ユニット
１９３  第一切換素子
２００  無線通信装置
２１１  底板
２１２  フレーム
２１３  収容空間
３８３  第二切換素子
４０１  基板
４０２  第一表面
４０３  第二表面
４０４  第三表面
４０５  第四表面
４０６  第五表面
４０７  第六表面
ＳＷ  切換スイッチ
【図１】
2018098759.tif 000003
【図２】
2018098759.tif 000004
【図３】
2018098759.tif 000005
【図４】
2018098759.tif 000006
【図５】
2018098759.tif 000007
【図６】
2018098759.tif 000008
【図７】
2018098759.tif 000009
【図８】
2018098759.tif 000010
【図９】
2018098759.tif 000011
【図１０】
2018098759.tif 000012
【図１１】
2018098759.tif 000013
【図１２】
2018098759.tif 000014
【図１３】
2018098759.tif 000015
【図１４】
2018098759.tif 000016
【図１５】
2018098759.tif 000017
【図１６】
2018098759.tif 000018